(57)【特許請求の範囲】
【請求項１】
軽量骨材を網目状袋体に収納して袋詰め状態とし、該袋詰め状態の軽量骨材を水中打設領域の所定位置に配置し、しかる後、前記軽量骨材同士の間隙にセメントミルクを加圧注入して軽量コンクリートを構築することを特徴とする軽量骨材を用いた水中コンクリートの打設方法。
【発明の詳細な説明】
【０００１】
【発明の属する技術分野】
本発明は、橋梁のフーチング、ケーソンといった水中構造物を軽量骨材を用いた水中コンクリートで構築する際のコンクリート打設方法に関する。
【０００２】
【従来の技術】
橋梁のフーチングやケーソン等を構築する際には、いわゆる水中コンクリートを使用することが多いが、構築箇所の地盤が軟弱である場合には、地盤改良工事を小規模に抑えるべく、フーチングやケーソンといった基礎構造をできるだけ軽量化することが望ましい。
【０００３】
一方、コンクリートを軽量化するにあたっては、軽量骨材を使用するのが一般的である。
【０００４】
【発明が解決しようとする課題】
しかしながら、軽量骨材を用いて水中コンクリートを打設すると、コンクリート打設中に比重の小さな軽量骨材がフレッシュコンクリート内で上昇し、水よりも軽い場合には、フレッシュコンクリートから水中に飛び出して水中を浮上したり、その際にフレッシュコンクリートが水中に飛散し、周辺水域を汚濁するおそれがある。
【０００５】
そのため、通常骨材を用いた水中コンクリートの使用を余儀なくされ、その結果、基礎構造の軽量化を図ることはほとんど不可能であるという問題を生じていた。
【０００６】
また、軽量骨材の飛び出しを防止できたとしても、軽量骨材がフレッシュコンクリート内で偏在して不均一となることを防止することができず、品質の面で改善の余地があった。
【０００７】
本発明は、上述した事情を考慮してなされたもので、軽量骨材の飛出し、ひいてはフレッシュコンクリートの水中飛散を防止するとともに、コンクリートの品質を高めることが可能な軽量骨材を用いた水中コンクリートの打設方法を提供することを目的とする。
【０００８】
【課題を解決するための手段】
上記目的を達成するため、本発明に係る軽量骨材を用いた水中コンクリートの打設方法は請求項１に記載したように、軽量骨材を網目状袋体に収納して袋詰め状態とし、該袋詰め状態の軽量骨材を水中打設領域の所定位置に配置し、しかる後、前記軽量骨材同士の間隙にセメントミルクを加圧注入して軽量コンクリートを構築するものである。
【０００９】
本発明に係る軽量骨材を用いた水中コンクリートの打設方法においては、まず、軽量骨材を網目状袋体に収納して袋詰め状態とする。
【００１０】
網目状袋体は、収納した軽量骨材が水やセメントミルクから受ける浮力で上昇して外に飛び出さず、なおかつセメントミルクの加圧注入がスムーズに行われるように、その網目の大きさや材料強度を適宜選択する。また、軽量骨材の収容量をどの程度にするかについては、水中打設領域の規模や形状あるいは取扱いの便宜等を考慮して適宜定める。
【００１１】
次に、袋詰め状態の軽量骨材を水中打設領域の所定位置に配置する。
【００１２】
袋詰め状態の軽量骨材を水中打設領域の所定位置に配置するにあたっては、水やセメントミルクから受ける浮力で袋詰め状態の軽量骨材が浮き上がらないように所定の方法で固定する。
【００１３】
ここで、袋詰め状態の軽量骨材を固定する方法は任意であり、例えば袋詰め状態の軽量骨材をすべて積み上げた後、その上面にグレーチング等を載せた上、該グレーチングを型枠に固定して又は該グレーチングの上に重りを載せることによってまとめて押さえ付ける方法や、袋詰め状態の軽量骨材をそれぞれ型枠内面に固定する方法などが考えられる。
【００１４】
次に、軽量骨材同士の間隙にセメントミルクを加圧注入して軽量コンクリートを構築する。
【００１５】
このようにすると、軽量骨材は、セメントミルク注入前においては周囲の水から、セメントミルク注入後においては該セメントミルクから浮力を受けて浮上しようとするが、網目状袋体に袋詰めされた状態で水中打設領域の所定位置に固定してあるため、かかる浮力が作用しても浮上することなく、最初に配置された場所にとどまる。そして、セメントミルクは、このような軽量骨材同士の間隙に加圧注入されて硬化するため、構築された軽量コンクリートは、軽量骨材が偏在せずに均一に分散された高品質のコンクリートとなる。
【００１６】
また、従来であれば、軽量骨材がその軽さゆえにフレッシュコンクリート内を浮上して水中へと飛び出すような状況であっても、本発明においては、上述したように、周囲のセメントミルクから浮力を受けても、網目状袋体に袋詰めされた状態で水中打設領域の所定位置に固定してあるため、軽量骨材は、当初の設置位置から浮き上がるおそれはなく、したがって、セメントミルクの天端まで上昇して該天端から水中に飛び出す懸念は全くない。
【００１７】
【発明の実施の形態】
以下、本発明に係る軽量骨材を用いた水中コンクリートの打設方法の実施の形態について、添付図面を参照して説明する。なお、従来技術と実質的に同一の部品等については同一の符号を付してその説明を省略する。
【００１８】
図１は、本実施形態に係る軽量骨材を用いた水中コンクリートの打設方法をケーソンへの水中コンクリート打設に適用する場合について示した施工手順図、図２はそれに使用する網目状袋体とそれに収納される軽量骨材を示した斜視図である。
【００１９】
まず、軽量骨材を用いた水中コンクリートの打設に先だって、図１(a)に示すようにケーソン１を設置する。ケーソン１を設置するにあたっては、ケーソン１を現場に曳航するとともに、ケーソン設置箇所を予め平坦に掘削しておき、しかる後、ケーソン１内に注水することによって該ケーソンを海底２に沈設すればよい。
【００２０】
一方、水中コンクリートに用いる軽量骨材１１を図２に示すように網目状袋体１２に収納して袋詰め状態とする。
【００２１】
網目状袋体１２は、収納した軽量骨材１１が水やセメントミルクから受ける浮力で上昇して外に飛び出さず、なおかつセメントミルクの加圧注入がスムーズに行われるように、その網目の大きさや材料強度を適宜選択すればよく、例えば、鋼製やＦＲＰ製のネットで構成することが考えられる。網目状袋体１２は、軽量骨材１１の寸法に応じて、例えば５〜１０ｍｍ程度の目開きに設定しておくのがよい。
【００２２】
次に、図１(b)に示すように、網目状袋体１２内に袋詰めされた軽量骨材１１をケーソン１内部の水中打設領域の所定位置に配置する。
【００２３】
袋詰め状態の軽量骨材１１を水中打設領域の所定位置に配置するにあたっては、水やセメントミルクから受ける浮力で袋詰め状態の軽量骨材１１が浮き上がらないよう、例えば袋詰め状態の軽量骨材１１をケーソン１の底面からすべて積み上げた後、その上面をグレーチング等で押さえ付けるか、最下段のものをケーソン１の底面に固定し、その後、上下方向に相互連結しつつ最下段から順次積み重ねるようにするのがよい。
【００２４】
次に、図３に示すように、ケーソン１内を適宜排水しつつ、軽量骨材１１同士の間隙にセメントミルク２１を加圧注入して軽量コンクリートを構築する。なお、セメントミルク２１を加圧注入するための注入管２２は、網目状袋体１２内に袋詰めされた軽量骨材１１をケーソン１内部の水中打設領域の所定位置に配置するときに同時に配管しておき、セメントミルク２１の注入工程の進捗に応じて徐々に引き抜くようにするのがよい。
【００２５】
このようにすると、軽量骨材１１は、セメントミルク２１の注入前においては周囲の水から、セメントミルク２１の注入後においては該セメントミルクから浮力を受けて浮上しようとするが、網目状袋体１２に袋詰めされた状態で水中打設領域の所定位置に固定してあるため、かかる浮力が作用しても浮上することなく、最初に配置された場所にとどまる。そして、セメントミルク２１は、このような軽量骨材１１同士の間隙に加圧注入されて硬化する。
【００２６】
以上説明したように、本実施形態に係る軽量骨材を用いた水中コンクリートの打設方法によれば、軽量骨材１１を網目状袋体１２に袋詰めした状態で水中打設領域の所定位置に固定し、かかる状態でセメントミルク２１を加圧注入するようにしたので、軽量骨材１１の浮上が防止されるとともに、セメントミルク２１は、当初の設置位置にとどまった軽量骨材１１の間隙に注入されることとなる。
【００２７】
そのため、軽量骨材１１が偏在しない均一に分散された状態の軽量コンクリートを打設することが可能となり、軽量コンクリートの品質を大幅に向上させることができる。
【００２８】
また、従来であれば、軽量骨材１１がその軽さゆえにフレッシュコンクリート内を浮上して水中へと飛び出すような状況であっても、本実施形態によれば、上述したように、周囲のセメントミルク２１から浮力を受けても、網目状袋体１２に袋詰めされた状態で水中打設領域の所定位置に固定してあるため、軽量骨材１１は、当初の設置位置から浮き上がるおそれはない。
【００２９】
したがって、軽量骨材１１のセメントミルク２１からの飛び出しやそれに伴うセメントミルク２１の水中飛散、ひいては周辺水域の汚濁を未然に防止することが可能となるとともに、その結果として、軽量骨材を用いた水中コンクリートで基礎構造の軽量化を図ることも可能となる。
【００３０】
【発明の効果】
以上述べたように、本発明の軽量骨材を用いた水中コンクリートの打設方法によれば、軽量骨材が偏在しない均一に分散された状態の軽量コンクリートを打設することが可能となり、軽量コンクリートの品質を大幅に向上させることができる。
【００３１】
【図面の簡単な説明】
【図１】本実施形態に係る軽量骨材を用いた水中コンクリートの打設方法にしたがってケーソンへの水中コンクリート打設を行う様子を示した施工手順図。
【図２】本実施形態に係る打設方法で用いる網目状袋体及びそれに収納される軽量骨材１１の斜視図。
【図３】引き続き本実施形態に係る軽量骨材を用いた水中コンクリートの打設方法にしたがってケーソンへの水中コンクリート打設を行う様子を示した施工手順図。
【符号の説明】
１１                        軽量骨材
１２                        網目状袋体
２１                        セメントミルク
【図１】
0003722201.tif 000002
【図２】
0003722201.tif 000003
【図３】
0003722201.tif 000004